【手続補正書】
【提出日】平成25年8月16日(2013.8.16)
【手続補正１】
【補正対象書類名】特許請求の範囲
【補正対象項目名】全文
【補正方法】変更
【補正の内容】
【特許請求の範囲】
【請求項１】
遊技機に併設された各台装置において遊技機にて獲得された遊技媒体数として取得された持ち遊技媒体数を管理するとともに遊技店に預け入れた貯遊技媒体数を遊技店に会員登録された会員が所持する会員用記録媒体の記録媒体識別情報に対応づけて管理する遊技媒体管理装置であって、
所定の移行処理指示を受け付けた場合に、前記記録媒体識別情報に対応する持ち遊技媒体数を該記録媒体識別情報に対応する前記貯遊技媒体数にそれぞれ移行処理するとともに、移行処理の完了／未了を示す移行処理情報を記録媒体識別情報に対応付けて設定する第１の移行処理手段と、
前記各台装置から少なくとも前記記録媒体識別情報を受け付けたことに基づいて、前記移行処理情報から移行処理が未了であると特定できる場合には、前記記録媒体識別情報に対応する持ち遊技媒体数を該記録媒体識別情報に対応する前記貯遊技媒体数に移行処理する第２の移行処理手段と
を備えたことを特徴とする遊技媒体管理装置。
【請求項２】
前記第２の移行処理手段は、前記各台装置から少なくとも前記記録媒体識別情報を受け付けた際に、記録媒体識別情報に対応付けられた前記移行処理情報から移行処理の未了が特定できており、かつ、持ち遊技媒体数の管理日付が所定の期間よりも前の日付である場合には、前記記録媒体識別情報に対応する持ち遊技媒体数を該記録媒体識別情報に対応する前記貯遊技媒体数に移行処理することを特徴とする請求項１に記載の遊技媒体管理装置。
【請求項３】
前記各台装置から前記記録媒体識別情報及び持ち遊技媒体数を特定するための持ち遊技媒体数特定情報を受け付けた際に、受け付けた持ち遊技媒体数特定情報が管理される情報から特定される持ち遊技媒体数と異なる場合には、前記各台装置から受け付けた持ち遊技媒体数特定情報から特定される持ち遊技媒体数を用いて管理される持ち遊技媒体数を更新する更新手段をさらに備えたことを特徴とする請求項１又は２に記載の遊技媒体管理装置。
【請求項４】
前記第１の移行処理手段は、記録媒体識別情報に対応する持ち遊技媒体数を該記録媒体識別情報に対応する前記貯遊技媒体数に移行処理できない場合には、該持ち遊技媒体数を自動移行対象持ち遊技媒体数として該記録媒体識別情報に対応づけて管理し、前記第２の移行処理手段は、前記各台装置から少なくとも前記記録媒体識別情報を受け付けた際に、前記移行処理情報から移行処理が未了であると特定できる場合には、前記記録媒体識別情報に対応する自動移行対象持ち遊技媒体数を該記録媒体識別情報に対応する前記貯遊技媒体数に移行処理することを特徴とする請求項１、２又は３に記載の遊技媒体管理装置。
【請求項５】
前記第１の移行処理手段は、前記所定の移行処理指示を受け付けた場合に、前記各台装置を含む遊技店内に配設された各種機器から記録媒体識別情報に対応する持ち遊技媒体数の情報を収集して持ち遊技媒体数を確定処理する確定処理手段をさらに備え、前記確定処理手段で確定処理された記録媒体識別情報に対応する持ち遊技媒体数については移行処理を行い、前記確定処理手段で確定処理できない記録媒体識別情報に対応付けて移行処理の未了を示す移行処理情報を設定することを特徴とする請求項１〜４のいずれか一つに記載の遊技媒体管理装置。
【請求項６】
前記第１の移行処理手段は、電源断、通信障害若しくは機器障害等の異常状態に起因して前記確定処理手段により所定の時刻に持ち遊技媒体数の確定処理を行えない場合には、前記確定処理手段による確定処理が可能となった時点若しくはこの時点以降の所定の時刻に記録媒体識別情報に対応付けて移行処理の未了を示す移行処理情報を設定することを特徴とする請求項５に記載の遊技媒体管理装置。
【請求項７】
前記第２の移行処理手段は、記録媒体識別情報に対応する持ち遊技媒体数を該記録媒体識別情報に対応する前記貯遊技媒体数に移行処理した際に、該記録媒体識別情報に対応する持ち遊技媒体数を消去することを特徴とする請求項１〜６のいずれか一つに記載の遊技媒体管理装置。
【請求項８】
遊技機に併設された各台装置において遊技機にて獲得された遊技媒体数として取得された持ち遊技媒体数を管理するとともに遊技店に預け入れた貯遊技媒体数を遊技店に会員登録された会員が所持する会員用記録媒体の記録媒体識別情報に対応づけて管理する遊技媒体管理装置における遊技媒体管理方法であって、
所定の移行処理指示を受け付けた場合に、前記記録媒体識別情報に対応する持ち遊技媒体数を該記録媒体識別情報に対応する前記貯遊技媒体数にそれぞれ移行処理するとともに、移行処理の完了／未了を示す移行処理情報を記録媒体識別情報に対応付けて設定する第１の移行処理工程と、
前記各台装置から少なくとも前記記録媒体識別情報を受け付けたことに基づいて、前記移行処理情報から移行処理が未了であると特定できている場合には、前記記録媒体識別情報に対応する持ち遊技媒体数を該記録媒体識別情報に対応する前記貯遊技媒体数に移行処理する第２の移行処理工程と
を含んだことを特徴とする遊技媒体管理方法。
【請求項９】
遊技機に併設された各台装置において遊技機にて獲得された遊技媒体数として取得された持ち遊技媒体数を管理するとともに遊技店に預け入れた貯遊技媒体数を遊技店に会員登録された会員が所持する会員用記録媒体の記録媒体識別情報に対応づけて管理する遊技媒体管理装置の遊技媒体管理プログラムであって、
所定の移行処理指示を受け付けた場合に、前記記録媒体識別情報に対応する持ち遊技媒体数を該記録媒体識別情報に対応する前記貯遊技媒体数にそれぞれ移行処理するとともに、移行処理の完了／未了を示す移行処理情報を記録媒体識別情報に対応付けて設定する第１の移行処理手順と、
前記各台装置から少なくとも前記記録媒体識別情報を受け付けたことに基づいて、前記移行処理情報から移行処理が未了であると特定できている場合には、前記記録媒体識別情報に対応する持ち遊技媒体数を該記録媒体識別情報に対応する前記貯遊技媒体数に移行処理する第２の移行処理手順と
をコンピュータに実行させることを特徴とする遊技媒体管理プログラム。
【請求項１０】
遊技機に併設された各台装置と、
前記各台装置において遊技機にて獲得された遊技媒体数として取得された持ち遊技媒体数を管理するとともに遊技店に預け入れた貯遊技媒体数を遊技店に会員登録された会員が所持する会員用記録媒体の記録媒体識別情報に対応づけて管理する遊技媒体管理手段とを有する遊技媒体管理システムであって、
所定の移行処理指示を受け付けた場合に、前記記録媒体識別情報に対応する持ち遊技媒体数を該記録媒体識別情報に対応する前記貯遊技媒体数にそれぞれ移行処理するとともに、移行処理の完了／未了を示す移行処理情報を記録媒体識別情報に対応付けて設定する第１の移行処理手段と、
前記各台装置が少なくとも前記記録媒体識別情報を取得したことに基づいて、前記移行処理情報から移行処理が未了であると特定できる場合には、前記記録媒体識別情報に対応する持ち遊技媒体数を該記録媒体識別情報に対応する前記貯遊技媒体数に移行処理する第２の移行処理手段と
を含んだことを特徴とする遊技媒体管理システム。
【手続補正２】
【補正対象書類名】明細書
【補正対象項目名】発明の名称
【補正方法】変更
【補正の内容】
【発明の名称】遊技媒体管理装置、遊技媒体管理方法、遊技媒体管理プログラム及び遊技媒体管理システム
【手続補正３】
【補正対象書類名】明細書
【補正対象項目名】０００１
【補正方法】変更
【補正の内容】
【０００１】
この発明は、遊技機に併設された各台装置において遊技機にて獲得された遊技媒体数として取得された持ち遊技媒体数を管理するとともに遊技店に預け入れた貯遊技媒体数を遊技店に会員登録された会員が所持する会員用記録媒体の記録媒体識別情報に対応づけて管理する遊技媒体管理装置、遊技媒体管理方法、遊技媒体管理プログラム及び遊技媒体管理システムに関し、特に、遊技店の閉店処理操作に応じて会員の持遊技媒体を貯遊技媒体へ自動移行させる際に、通信障害等の影響で会員の持遊技媒体数を確定できない場合であっても、会員が翌日以降に遊技店に来店した際に円滑な遊技ができるようにする遊技媒体管理装置、遊技媒体管理方法、遊技媒体管理プログラム及び遊技媒体管理システムに関する。
【手続補正４】
【補正対象書類名】明細書
【補正対象項目名】００１０
【補正方法】変更
【補正の内容】
【００１０】
本発明は、上述した従来技術による課題（問題点）を解消するためになされたものであり、遊技店の閉店処理操作に応じて会員の持遊技媒体を貯遊技媒体へ自動移行させる際に、通信障害等の影響で会員の持遊技媒体数を確定できない場合であっても、会員が翌日以降に遊技店に来店した際に円滑な遊技を可能にする遊技媒体管理装置、遊技媒体管理方法、遊技媒体管理プログラム及び遊技媒体管理システムを提供することを目的とする。
【手続補正５】
【補正対象書類名】明細書
【補正対象項目名】００１１
【補正方法】変更
【補正の内容】
【００１１】
上述した課題を解決し、目的を達成するため、本発明は、遊技機に併設された各台装置において遊技機にて獲得された遊技媒体数として取得された持ち遊技媒体数を管理するとともに遊技店に預け入れた貯遊技媒体数を遊技店に会員登録された会員が所持する会員用記録媒体の記録媒体識別情報に対応づけて管理する遊技媒体管理装置であって、所定の移行処理指示を受け付けた場合に、前記記録媒体識別情報に対応する持ち遊技媒体数を該記録媒体識別情報に対応する前記貯遊技媒体数にそれぞれ移行処理するとともに、移行処理の完了／未了を示す移行処理情報を記録媒体識別情報に対応付けて設定する第１の移行処理手段と、前記各台装置から少なくとも前記記録媒体識別情報を受け付けたことに基づいて、前記移行処理情報から移行処理が未了であると特定できる場合には、前記記録媒体識別情報に対応する持ち遊技媒体数を該記録媒体識別情報に対応する前記貯遊技媒体数に移行処理する第２の移行処理手段とを備えたことを特徴とする。
【手続補正６】
【補正対象書類名】明細書
【補正対象項目名】００１２
【補正方法】変更
【補正の内容】
【００１２】
また、本発明は、上記の発明において、前記第２の移行処理手段は、前記各台装置から少なくとも前記記録媒体識別情報を受け付けた際に、記録媒体識別情報に対応付けられた前記移行処理情報から移行処理の未了が特定できており、かつ、持ち遊技媒体数の管理日付が所定の期間よりも前の日付である場合には、前記記録媒体識別情報に対応する持ち遊技媒体数を該記録媒体識別情報に対応する前記貯遊技媒体数に移行処理することを特徴とする。
【手続補正７】
【補正対象書類名】明細書
【補正対象項目名】００１３
【補正方法】変更
【補正の内容】
【００１３】
また、本発明は、上記の発明において、前記各台装置から前記記録媒体識別情報及び持ち遊技媒体数を特定するための持ち遊技媒体数特定情報を受け付けた際に、受け付けた持ち遊技媒体数特定情報が管理される情報から特定される持ち遊技媒体数と異なる場合には、前記各台装置から受け付けた持ち遊技媒体数特定情報から特定される持ち遊技媒体数を用いて管理される持ち遊技媒体数を更新する更新手段をさらに備えたことを特徴とする。
【手続補正８】
【補正対象書類名】明細書
【補正対象項目名】００１４
【補正方法】変更
【補正の内容】
【００１４】
また、本発明は、上記の発明において、前記第１の移行処理手段は、記録媒体識別情報に対応する持ち遊技媒体数を該記録媒体識別情報に対応する前記貯遊技媒体数に移行処理できない場合には、該持ち遊技媒体数を自動移行対象持ち遊技媒体数として該記録媒体識別情報に対応づけて管理し、前記第２の移行処理手段は、前記各台装置から少なくとも前記記録媒体識別情報を受け付けた際に、前記移行処理情報から移行処理が未了であると特定できる場合には、前記記録媒体識別情報に対応する自動移行対象持ち遊技媒体数を該記録媒体識別情報に対応する前記貯遊技媒体数に移行処理することを特徴とする。
【手続補正９】
【補正対象書類名】明細書
【補正対象項目名】００１５
【補正方法】変更
【補正の内容】
【００１５】
また、本発明は、上記の発明において、前記第１の移行処理手段は、前記所定の移行処理指示を受け付けた場合に、前記各台装置を含む遊技店内に配設された各種機器から記録媒体識別情報に対応する持ち遊技媒体数の情報を収集して持ち遊技媒体数を確定処理する確定処理手段をさらに備え、前記確定処理手段で確定処理された記録媒体識別情報に対応する持ち遊技媒体数については移行処理を行い、前記確定処理手段で確定処理できない記録媒体識別情報に対応付けて移行処理の未了を示す移行処理情報を設定することを特徴とする。
【手続補正１０】
【補正対象書類名】明細書
【補正対象項目名】００１６
【補正方法】変更
【補正の内容】
【００１６】
また、本発明は、上記の発明において、電源断、通信障害若しくは機器障害等の異常状態に起因して前記確定処理手段により所定の時刻に持ち遊技媒体数の確定処理を行えない場合には、前記確定処理手段による確定処理が可能となった時点若しくはこの時点以降の所定の時刻に記録媒体識別情報に対応付けて移行処理の未了を示す移行処理情報を設定することを特徴とする。
【手続補正１１】
【補正対象書類名】明細書
【補正対象項目名】００１７
【補正方法】変更
【補正の内容】
【００１７】
また、本発明は、上記の発明において、前記第２の移行処理手段は、記録媒体識別情報に対応する持ち遊技媒体数を該記録媒体識別情報に対応する前記貯遊技媒体数に移行処理した際に、該記録媒体識別情報に対応する持ち遊技媒体数を消去することを特徴とする。
【手続補正１２】
【補正対象書類名】明細書
【補正対象項目名】００１８
【補正方法】変更
【補正の内容】
【００１８】
また、本発明は、遊技機に併設された各台装置において遊技機にて獲得された遊技媒体数として取得された持ち遊技媒体数を管理するとともに遊技店に預け入れた貯遊技媒体数を遊技店に会員登録された会員が所持する会員用記録媒体の記録媒体識別情報に対応づけて管理する遊技媒体管理装置における遊技媒体管理方法であって、所定の移行処理指示を受け付けた場合に、前記記録媒体識別情報に対応する持ち遊技媒体数を該記録媒体識別情報に対応する前記貯遊技媒体数にそれぞれ移行処理するとともに、移行処理の完了／未了を示す移行処理情報を記録媒体識別情報に対応付けて設定する第１の移行処理工程と、前記各台装置から少なくとも前記記録媒体識別情報を受け付けたことに基づいて、前記移行処理情報から移行処理が未了であると特定できている場合には、前記記録媒体識別情報に対応する持ち遊技媒体数を該記録媒体識別情報に対応する前記貯遊技媒体数に移行処理する第２の移行処理工程とを含んだことを特徴とする。
【手続補正１３】
【補正対象書類名】明細書
【補正対象項目名】００１９
【補正方法】変更
【補正の内容】
【００１９】
また、本発明は、遊技機に併設された各台装置において遊技機にて獲得された遊技媒体数として取得された持ち遊技媒体数を管理するとともに遊技店に預け入れた貯遊技媒体数を遊技店に会員登録された会員が所持する会員用記録媒体の記録媒体識別情報に対応づけて管理する遊技媒体管理装置の遊技媒体管理プログラムであって、所定の移行処理指示を受け付けた場合に、前記記録媒体識別情報に対応する持ち遊技媒体数を該記録媒体識別情報に対応する前記貯遊技媒体数にそれぞれ移行処理するとともに、移行処理の完了／未了を示す移行処理情報を記録媒体識別情報に対応付けて設定する第１の移行処理手順と、前記各台装置から少なくとも前記記録媒体識別情報を受け付けたことに基づいて、前記移行処理情報から移行処理が未了であると特定できている場合には、前記記録媒体識別情報に対応する持ち遊技媒体数を該記録媒体識別情報に対応する前記貯遊技媒体数に移行処理する第２の移行処理手順とをコンピュータに実行させることを特徴とする。
また、本発明は、遊技機に併設された各台装置と、前記各台装置において遊技機にて獲得された遊技媒体数として取得された持ち遊技媒体数を管理するとともに遊技店に預け入れた貯遊技媒体数を遊技店に会員登録された会員が所持する会員用記録媒体の記録媒体識別情報に対応づけて管理する遊技媒体管理手段とを有する遊技媒体管理システムであって、所定の移行処理指示を受け付けた場合に、前記記録媒体識別情報に対応する持ち遊技媒体数を該記録媒体識別情報に対応する前記貯遊技媒体数にそれぞれ移行処理するとともに、移行処理の完了／未了を示す移行処理情報を記録媒体識別情報に対応付けて設定する第１の移行処理手段と、前記各台装置が少なくとも前記記録媒体識別情報を取得したことに基づいて、前記移行処理情報から移行処理が未了であると特定できる場合には、前記記録媒体識別情報に対応する持ち遊技媒体数を該記録媒体識別情報に対応する前記貯遊技媒体数に移行処理する第２の移行処理手段とを含んだことを特徴とする。
【手続補正１４】
【補正対象書類名】明細書
【補正対象項目名】００２０
【補正方法】変更
【補正の内容】
【００２０】
本発明によれば、所定の移行処理指示を受け付けた場合に、記録媒体識別情報に対応する持ち遊技媒体数を該記録媒体識別情報に対応する貯遊技媒体数にそれぞれ移行処理するとともに、移行処理できない記録媒体識別情報に移行処理の未了を示す移行処理情報を設定し、各台装置から少なくとも記録媒体識別情報を受け付けた際に、記録媒体識別情報に移行処理の未了を示す移行処理情報が設定されている場合には、記録媒体識別情報に対応する持ち遊技媒体数を該記録媒体識別情報に対応する貯遊技媒体数に移行処理するよう構成したので、閉店処理操作のような所定の移行処理指示を行った際に持ち遊技媒体数を貯遊技媒体数に自動移行できないような場合であっても、各台装置に会員用記録媒体を受け付けた場合に持ち遊技媒体数を貯遊技媒体数に自動移行できることになるので、遊技客が再度遊技を行おうとする際には適正な貯遊技媒体を用いた円滑な遊技を行うことが可能となる。
【手続補正１５】
【補正対象書類名】明細書
【補正対象項目名】００２１
【補正方法】変更
【補正の内容】
【００２１】
また、本発明によれば、各台装置から少なくとも記録媒体識別情報を受け付けた際に、記録媒体識別情報に移行処理の未了を示す移行処理情報が設定されており、かつ、持ち遊技媒体数の管理日付が所定の期間よりも前の日付である場合には、記録媒体識別情報に対応する持ち遊技媒体数を該記録媒体識別情報に対応する貯遊技媒体数に移行処理するよう構成したので、例えば所定の期間が当日である場合に、当日の持ち遊技媒体数については貯遊技媒体数への移行処理の対象外とし、前日以前の持ち遊技媒体数のみを貯遊技媒体数への移行処理の対象とすることができる。
【手続補正１６】
【補正対象書類名】明細書
【補正対象項目名】００２２
【補正方法】変更
【補正の内容】
【００２２】
また、本発明によれば、各台装置から記録媒体識別情報及び持ち遊技媒体数を特定するための持ち遊技媒体数特定情報を受け付けた際に、受け付けた持ち遊技媒体数特定情報が管理される情報から特定される持ち遊技媒体数と異なる場合には、各台装置から受け付けた持ち遊技媒体数特定情報から特定される持ち遊技媒体数を用いて更新するよう構成したので、通信障害等が原因で会員用記録媒体に記録した持ち遊技媒体数と管理装置で管理する持ち遊技媒体数が異なる場合には、会員用記録媒体に記録した持ち遊技媒体数を正として正確な持ち遊技媒体数を貯遊技媒体数に移行させることができる。
【手続補正１７】
【補正対象書類名】明細書
【補正対象項目名】００２３
【補正方法】変更
【補正の内容】
【００２３】
また、本発明によれば、記録媒体識別情報に対応する持ち遊技媒体数を該記録媒体識別情報に対応する前記貯遊技媒体数に移行処理できない場合には、該持ち遊技媒体数を自動移行対象持ち遊技媒体数として該記録媒体識別情報に対応づけて管理し、各台装置から少なくとも記録媒体識別情報を受け付けた際に、前記移行処理情報から移行処理が未了であると特定できる場合には、記録媒体識別情報に対応する自動移行対象持ち遊技媒体数を該記録媒体識別情報に対応する貯遊技媒体数に移行処理するよう構成したので、貯遊技媒体数に自動移行されるべき持ち遊技媒体数を自動移行対象持ち遊技媒体数として明確に管理することができる。
【手続補正１８】
【補正対象書類名】明細書
【補正対象項目名】００２４
【補正方法】変更
【補正の内容】
【００２４】
また、本発明によれば、所定の移行処理指示を受け付けた場合に、各台装置を含む遊技店内に配設された各種機器から記録媒体識別情報に対応する持ち遊技媒体数の情報を収集して持ち遊技媒体数を確定処理し、確定処理された記録媒体識別情報に対応する持ち遊技媒体数については移行処理を行い、確定処理できない記録媒体識別情報に対応付けて移行処理の未了を示す移行処理情報を設定するよう構成したので、不正確な持ち遊技媒体数を貯遊技媒体数に自動移行するような事態を未然に防止することができる。
【手続補正１９】
【補正対象書類名】明細書
【補正対象項目名】００２５
【補正方法】変更
【補正の内容】
【００２５】
また、本発明によれば、電源断、通信障害若しくは機器障害等の異常状態に起因して所定の時刻に持ち遊技媒体数の確定処理を行えない場合には、確定処理が可能となった時点若しくはこの時点以降の所定の時刻に記録媒体識別情報に対応付けて移行処理の未了を示す移行処理情報を設定するよう構成したので、電源断、通信障害若しくは機器障害等の異常状態が生じた場合であっても、その後に記録媒体識別情報に対応付けて移行処理の未了を示す移行処理情報を設定し、持ち遊技媒体数を貯遊技媒体数に自動移行することができる。
【手続補正２０】
【補正対象書類名】明細書
【補正対象項目名】００２６
【補正方法】変更
【補正の内容】
【００２６】
また、本発明によれば、記録媒体識別情報に対応する持ち遊技媒体数を該記録媒体識別情報に対応する貯遊技媒体数に移行処理した際に、該記録媒体識別情報に対応する持ち遊技媒体数を消去するよう構成したので、持ち遊技媒体数から貯遊技媒体数への移行処理の完了を保証することができる。
【手続補正２１】
【補正対象書類名】明細書
【補正対象項目名】００２８
【補正方法】変更
【補正の内容】
【００２８】
以下に、添付図面を参照して、本発明に係る遊技媒体管理装置、遊技媒体管理方法、遊技媒体管理プログラム及び遊技媒体管理システムの好適な実施例を詳細に説明する。なお、以下に示す実施例では、カード管理装置で持玉を管理するとともに、貯玉を会員管理装置で管理する場合を中心に説明することとする。
【手続補正２２】
【補正対象書類名】明細書
【補正対象項目名】００９６
【補正方法】変更
【補正の内容】
【００９６】
以上のように、本発明に係る遊技媒体管理装置、遊技媒体管理方法、遊技媒体管理プログラム及び遊技媒体管理システムは、遊技店の閉店処理操作に応じて会員の持遊技媒体を貯遊技媒体へ自動移行させる際に、通信障害等の影響で会員の持遊技媒体数を確定できない場合であっても、会員が翌日以降に遊技店に来店した際に円滑な遊技をできるようにする場合に適している。